(57)【要約】【課題】  排ガス分析の精度を向上させることができ、排ガス分析を容易にリアルタイムで行なえ、低コストで分析が可能な排ガス分析装置を提供する。【解決手段】  排ガス分析装置１０は、エンジン２から排出される排ガスに、レーザダイオードＬＤ１〜ＬＤ５に駆動パルスを印加して発生させたレーザ光を光ファイバ２４を通して照射し、排ガス中を透過したレーザ光をディテクタ２５で受光し、受光された透過レーザ光に基づいて排ガスの成分の濃度や温度を測定し、レーザ光の光強度を調整する光減衰器３４をさらに備え、光減衰器３４は受光された透過レーザ光に基づいて差分型光検出器４０でフィードバック補正量を算出しフィードバック制御される。駆動パルス５０は電流値が経時変化する電流走査区間５２と、この電流走査区間に連続し、電流値が一定となる電流一定区間５１とを備え、さらに終了電流一定区間５３を備えると好ましい。【選択図】  図４
2006337326.tif 000002
【特許請求の範囲】
【請求項１】
エンジンから排出される排ガスに、レーザ光発生手段に駆動パルスを印加して発生させたレーザ光を照射し、排ガス中を透過したレーザ光を受光し、前記受光された透過レーザ光に基づいて排ガスの成分の濃度や温度を測定して排ガスを分析する装置であって、
該装置は、前記レーザ光発生手段から発生されるレーザ光の光強度を調整する光減衰器をさらに備え、該光減衰器は前記受光された透過レーザ光に基づいてフィードバック制御されるものであり、
前記レーザ光発生手段に印加される前記駆動パルスは、電流値が経時変化する電流走査区間と、前記電流走査区間に連続し、電流値が一定となる電流一定区間とを備えていることを特徴とする排ガス分析装置。
【請求項２】
前記駆動パルスは、前記電流走査区間の始端側の電流値で一定となる開始電流一定区間と、該開始電流一定区間から直線的に電流が増加する前記電流走査区間とを備えることを特徴とする請求項１に記載の排ガス分析装置。
【請求項３】
前記駆動パルスは、前記電流走査区間に連続し、該電流走査区間の終端の電流値で電流を一定とした終了電流一定区間をさらに備えることを特徴とする請求項１または２に記載の排ガス分析装置。
【請求項４】
排ガスが通過する貫通孔に前記レーザ光を照射する照射部と、排ガス中を透過したレーザ光を受光する受光部とを備えるセンサ部を形成し、該センサ部を排ガスの排気経路中に設置し、前記照射部から排ガスにレーザ光を照射した後、前記受光部で排ガス中を透過したレーザ光を受光して排ガスを分析することを特徴とする請求項１〜３のいずれかに記載の排ガス分析装置。
【請求項５】
前記センサ部を排気経路中の複数箇所に設置することを特徴とする請求項４に記載の排ガス分析装置。
【請求項６】
レーザ光発生手段に、電流値が経時変化する電流走査区間と、該電流走査区間に連続し、電流値が一定となる電流一定区間とを備える駆動パルスを印加してレーザ光を発生させ、該レーザ光を信号用レーザ光と測定用レーザ光に分波し、該測定用レーザ光を光減衰器を介して排ガスに照射して排ガスを透過したレーザ光を受光し、受光された透過レーザ光と信号用レーザ光とに基づいて前記光減衰器を補正するフィードバック補正量を算出し、該フィードバック補正量を前記光減衰器に入力して測定用レーザ光の光強度を調整すると共に、前記信号用レーザ光と透過レーザ光とに基づいて排ガスの成分の濃度や温度を算出することを特徴とする排ガス分析方法。
【請求項７】
前記フィードバック補正量は、前記透過レーザ光を差分型光検出器に入力し、透過レーザ光と信号用レーザ光との光バランスから算出することを特徴とする請求項６に記載の排ガス分析方法。
【発明の詳細な説明】
【技術分野】
【０００１】
本発明は、自動車等の排ガスの分析装置および排ガス分析方法に係り、特に、排気経路中に取り付けることで、排気経路中を通過する排ガスの成分濃度や温度を正確にリアルタイムに測定でき、低コストで排ガスを分析できる排ガス分析装置と、排ガス分析方法に関する。
【背景技術】
【０００２】
従来、この種の排ガス分析装置として、特許文献１に記載の車載型ＨＣ測定装置がある。この測定装置は、エンジンに連なる排気管を流れる排ガス中のＨＣ（炭化水素）濃度を連続的に測定するためのＮＤＩＲ（非分散型赤外分光法）型ガス分析計と、排気管を流れる排ガスの流量を連続的に測定する排ガス流量計と、ＮＤＩＲ型ガス分析計および排ガス流量計のそれぞれの出力を演算処理して、排ガス中のＴＨＣ（全炭化水素）量を連続的に算出する演算処理回路を車両内に搭載可能としている。
【０００３】
前記の特許文献１等に記載のＮＤＩＲ（Ｎｏｎ−Ｄｉｓｐｅｒｔｉｖｅ  Ｉｎｆｒａｒｅｄ  Ａｎａｌｙｚｅｒ）非分散型赤外分光法では、サンプルガスが供給されるセル内に、赤外光を照射する赤外光源が設けられている。
【０００４】
また、前記の非分散型赤外分光法や、ＦＩＤ（Ｆｌａｍｅ  Ｉｏｎｉｚａｔｉｏｎ  Ｄｅｔｅｃｔｏｒ）法、ＣＬＤ（Ｃｈｅｍｉｃａｌ  Ｌｕｍｉｎｅｓｃｅｎｃｅ  Ｄｅｔｅｃｔｏｒ）法等を用いた各種の排ガスの計測装置や分析装置があるが、これらの測定法は、すべての測定原理において、校正用の基準ガスや、分析に使用するための補助ガスが必要となる。さらに、赤外線吸収法による測定では、赤外レーザ光発生手段に印加される駆動パルスは、波長を掃引するため三角波の駆動パルスが使用されている。
【０００５】
【特許文献１】特開２００４−１１７２５９号公報
【発明の開示】
【発明が解決しようとする課題】
【０００６】
ところで、前記構造の車載型ＨＣ測定装置や、他の排ガス分析装置では、前記のとおり測定に際して基準ガスや補助ガスが必要であり、基準ガス等の設備を含めて分析装置全体が大掛かりになると共に、多大なランニングコストが必要である。また、これらの化学分析を実施するには、排ガス中の水分や汚れ（すす）を除去したあとに測定を行なう必要があり、分析する排ガスをサンプリングし、希釈等の処置を施して分析を行なうため、排ガスのリアルタイム分析ができない。
【０００７】
さらに、赤外線吸収法による測定では、レーザ光発生手段に印加される駆動パルスは通常、前記のとおり三角波が使用されている。この三角波状の駆動パルスＰは、例えば図１２に模式的に示されるような形状をしており、数Ｈｚ〜数１０Ｈｚ程度の周波数帯のパルスを使用している。図１２において、横軸は時間ｔを示し、縦軸は電流値Ａを示している。この三角波の駆動パルスＰをレーザ光発生手段に印加すると、所定の周波数帯にピークを有するレーザ光を発生させることができ、周波数帯を排ガス中の成分ガスに合わせることで成分ガス濃度を測定できる。
【０００８】
しかしながら、このようにして発生させたレーザ光は、ピークの光強度を一定にすることが難しく、排ガス分析を行うときにノイズによりピーク部分が埋もれて正確なガス濃度測定が行えない問題点がある。前記のノイズは、例えばエンジン始動の振動による光学的ノイズ、電気的ノイズ等が含まれる。また、レーザ光の光強度を一定化させるべく、レーザ光の光強度を測定してフィードバック制御することも行われているが、光強度のばらつきを一定化させることが難しいのが現状である。さらに、特許文献１に記載の測定装置は、ＨＣ以外の成分ガスの測定ができない。
【０００９】
本発明は、このような問題に鑑みてなされたものであって、その目的とするところは、排ガス中を通過させるレーザ光の光強度が安定しており、ノイズを除去して排ガス分析の精度を向上させることができる排ガス分析装置および排ガス分析方法を提供することにある。また、基準ガス等を用いることなく、容易に排ガス分析をリアルタイムで行なえ、低コストで多種の成分ガスの分析が可能な排ガス分析装置と排ガス分析方法を提供することにある。さらに、構成が簡単で小型化でき、車載することもできる排ガス分析装置と、排ガス分析方法を提供することにある。
【課題を解決するための手段】
【００１０】
本発明者らは、排ガス分析装置に使用するレーザ光の光強度を一定化させるレーザ光発生手段につき鋭意研究を重ねた結果、以下の特徴を有する本発明を完成させるに至った。すなわち、本発明に係る排ガス分析装置は、エンジンから排出される排ガスに、レーザ光発生手段に駆動パルスを印加して発生させたレーザ光を照射し、排ガス中を透過したレーザ光を受光し、受光されたレーザ光に基づいて排ガスの成分の濃度や温度を測定して排ガスを分析する装置であって、この装置はレーザ光発生手段から発生されるレーザ光の光強度を調整する光減衰器をさらに備え、光減衰器は受光されたレーザ光に基づいてフィードバック制御されるものであり、レーザ光発生手段に印加される駆動パルスは、電流値が経時変化する電流走査区間と、電流走査区間に連続し、電流値が一定となる電流一定区間とを備えていることを特徴としている。
【００１１】
前記のごとく構成された本発明の排ガス分析装置は、レーザ光発生手段に供給される駆動パルスに電流値が一定の電流一定区間を形成し、この電流一定区間で波長を固定して得られた信号光と測定光の光バランスを一定に保てるように、例えば測定光側に挿入された光減衰器をフィードバック制御で調整するため、信号光と測定光のバランスを正確に保つことができる。このため、排ガスによる熱揺らぎやレーザ光と受光部分との光軸のずれ、レーザ光を反射させるミラー等の汚れによってバランスが崩れても、光減衰器を調整してレーザ光発生手段にフィードバックをかけることでバランスを初期状態に復帰させることができ、精度の良い排ガス分析が可能となる。また、この排ガス分析装置は、基準ガスを必要としないため、リアルタイムで容易に排ガスを分析できると共に、低コストで多種の成分ガスを分析することができる。
【００１２】
また、本発明に係る排ガス分析装置の好ましい具体的な態様としては、前記駆動パルスは、前記電流走査区間の始端側の電流値で一定となる開始電流一定区間と、この開始電流一定区間から直線的に電流が増加する前記電流走査区間とを備えることを特徴としている。この構成によれば、電流値が一定の開始電流一定区間から直線的に電流が増加する電流走査区間を有する駆動パルスをレーザ光発生手段に印加することで、オーバーシュートを防止してレーザ光を安定させて発生させることができる。すなわち、始端側に開始電流一定区間を設けることで、発振開始時に波形にノイズがのる可能性を除去できる。
【００１３】
さらに、本発明に係る排ガス分析装置の好ましい具体的な他の態様としては、前記駆動パルスは、前記電流走査区間に連続し、電流走査区間の終端の電流値で電流を一定とした終了電流一定区間をさらに備えることを特徴としている。この構成によれば、電流値が経時変化する電流走査区間の前段に開始電流一定区間を有し、後段に終了電流一定区間を有しているため、中間の電流値を経時変化させることでレーザ光の波長を掃引し、吸収波長を含む波長域の前後を吸収の無い一定波長で固定でき、波長安定性を高めることができる。
【００１４】
他の態様として、排ガスが通過する貫通孔に前記レーザ光を照射する照射部と、排ガス中を透過したレーザ光を受光する受光部とを備えるセンサ部を形成し、該センサ部を排ガスの排気経路中に設置し、前記照射部から排ガスにレーザ光を照射した後、前記受光部で排ガス中を透過したレーザ光を受光して排ガスを分析することが好ましい。特に、このセンサ部を排気経路中の複数箇所に設置することが好ましい。このように構成すると、エンジンから排出される排ガスの排気経路中の途中位置における排ガスの成分の濃度や温度を測定することができ、例えば触媒装置を通過する前後の排ガスの成分の濃度等をリアルタイムで検出することができる。また、装置構成を簡単にでき、小型化できるので車載することも可能となる。
【００１５】
本発明に係る排ガス分析方法は、レーザ光発生手段に、電流値が経時変化する電流走査区間と、該電流走査区間に連続し、電流値が一定となる電流一定区間とを備える駆動パルスを印加してレーザ光を発生させ、該レーザ光を信号用レーザ光と測定用レーザ光に分波し、該測定用レーザ光を光減衰器を介して排ガスに照射して排ガスを透過したレーザ光を受光し、受光された透過レーザ光と信号用レーザ光とに基づいて光減衰器を補正するフィードバック補正量を算出し、該フィードバック補正量を光減衰器に入力して測定用レーザ光の光強度を調整すると共に、信号用レーザ光と透過レーザ光とに基づいて排ガスの成分の濃度や温度を算出することを特徴とする。このフィードバック補正量は、透過レーザ光を差分型光検出器に入力し、透過レーザ光と信号用レーザ光との光バランスから算出することが好ましい。この構成によれば、排ガス中を透過したレーザ光に基づいてレーザ光発生手段から発生されるレーザ光の光強度を調整し、調整された光強度のレーザ光により信号用レーザ光と透過レーザ光との光バランスを制御することで、エンジン等の排気経路内の環境の変化に対応でき、精度の良い排ガス分析を行なうことができる。
【発明の効果】
【００１６】
本発明の排ガス分析装置および排ガス分析方法は、レーザ光を発生させる手段に印加する駆動パルスを、電流が直線的に変化する電流走査区間と、該電流走査区間に連続し、電流値が一定となる電流一定区間とを備える形状とすることで、オーバーシュートの無い状態でレーザ光を発生させることができ、レーザ光の波長安定性を高めることができる。また、この駆動パルスを用いてレーザ光発生手段から発生されるレーザ光の光強度を調整することで、信号光と測定光とのバランスが良くなり、精度の高い排ガス分析を行うことができる。さらに、この波長安定性の高いレーザ光を用いて、基準ガスを使用しないで排ガスの成分の濃度を正確に低コストで検出することができる。そして、排気パイプ末端からの最終形態の測定だけでなく、排気経路の途中位置での多種類の成分ガスの測定が行なえると共に、高温状態での測定が可能なため排出直後の高温の排ガスの成分の濃度測定も行なえる。
【発明を実施するための最良の形態】
【００１７】
以下、本発明に係る排ガス分析装置の一実施形態を図面に基づき詳細に説明する。図１は、本実施形態に係る排ガス分析装置を車両に搭載した要部構成図、図２は、図１の排ガス分析装置をエンジンベンチに設置した状態の要部構成図、図３は、排ガス分析装置のセンサ部の要部構成を示す分解斜視図、図４は、レーザ発振・受光コントローラの要部構成および信号解析部としてパーソナルコンピュータを含む排ガス分析装置の全体構成を示すブロック図である。
【００１８】
図１において、本実施形態の排ガス分析装置１０は、自動車１に設置されたエンジン２から排出される排ガスを分析する装置である。また、図２に示すように、エンジンベンチ１Ａに設置されたエンジン２の排ガスを分析する装置である。エンジン２の各気筒から排出される排ガスは、エキゾーストマニホルド３で合流され、排気管４を通して第１触媒装置５に導入され、さらに第２触媒装置６に導入され、そのあとマフラー７を通して排気パイプ８から大気中に放出される。排気経路は、エキゾーストマニホルド３、排気管４、第１触媒装置５、第２触媒装置６、マフラー７、排気パイプ８を接合して形成され、エンジン２から排出された排ガスを第１触媒装置５で浄化し、さらに第２触媒装置６で浄化したあと、マフラー７により消音、減圧して大気中に放出する。なお、マフラーはメインマフラーとサブマフラーの２つを有するものでもよい。
【００１９】
排気経路を構成する複数の部材は基本的にはパイプ状の管部材であり、フランジ部同士を対接させてボルト等で接続されている。例えば、第１触媒装置５は大径の本体部の上流、下流側に排気パイプ部が連結され、これらの排気パイプ部の端部にフランジ部Ｆ，Ｆが溶接等により固着されている。また、第２触媒装置６も大径の本体部の上流、下流側に排気パイプ部が連結され、これらの排気パイプ部の端部にフランジ部Ｆ，Ｆが固着されており、フランジ部を接続して排気経路が構成されている。なお、末端の排気パイプ８はマフラー７に直接溶接等により固着されている。
【００２０】
本実施形態の排ガス分析装置１０は、前記の排気経路中の複数箇所に取り付けられた複数のセンサ部１１〜１４を備えて構成される。第１のセンサ部１１は第１触媒装置５より上流側のエンジン側の排気管４との間に設置され、第２のセンサ部１２は第１触媒装置５の下流側に設置され、第３のセンサ部１３は第２触媒装置６の下流側に設置されている。そして、第４のセンサ部１４はマフラー７の下流の排気パイプ８に設置されている。センサ部１４は排気パイプの途中に設置されても、排気パイプの末端の開口部に挿入して設置するものでもよい。第１のセンサ部１１は、エキゾーストマニホルド３で合流する前の１気筒毎の排気管に設置するように構成してもよい。
【００２１】
排気管４や第１触媒装置５、第２触媒装置６、マフラー７は、図３に示すように、フランジ部Ｆ，Ｆをボルト（図示せず）で締め付けることで連結されており、排気経路を構成する部材の間に設置されるセンサ部１１，１２，１３は、フランジ部Ｆ，Ｆで挟まれた状態で設置されている。フランジ部Ｆ，Ｆは、排気経路を構成する部材の両端部に形成され、フランジ部同士の接合面は排気経路の中心線に対して直角に交差している。この結果、センサ部１１〜１３はフランジ部Ｆ，Ｆに挟まれて排気経路を横切るように設置される。第４のセンサ部１４は排ガスが大気中に放出される直前の分析を行うものであり、マフラー７から突出する排気パイプ８の中間部にフランジ部Ｆ，Ｆで挟んで設置してもよい。なお、センサ部の設置数は任意に設定すればよい。
【００２２】
排気経路中に取り付けられるセンサ部１１〜１４はほぼ同一構成であり、１つのセンサ部１１について、図３，４を参照して詳細に説明する。センサ部は厚さが例えば５〜２０ｍｍ程度の所定厚さの板材から形成されたセンサベース２１を有し、中心部に排気パイプ部の内径と略同じ直径の貫通孔２２が形成されている。貫通孔２２は排気経路中を通過する排ガスが通過する。貫通孔２２の形状は、排気流れを乱さないように排気パイプ部の内径とほぼ同じ直径の円形が好ましい。板材としては金属板材やセラミック製の板材を用いているが、材質については特に問わない。センサベース２１には外周面から貫通孔に向けて貫通する２つのセンサ孔２１ａ，２１ｂが形成されている。一方のセンサ孔２１ａにはレーザ光を集光するコリメータ２３が固定され、このコリメータにレーザ光を照射する光ファイバ２４が接続され、他方の孔２１ｂにはレーザ光を受光するフォトダイオード等のディテクタ２５が固定されている。
【００２３】
センサベース２１の貫通孔２２内には、対向して上下２枚の反射板２６，２７が固定されている。２枚の反射板は平行状態に固定され、照射側の光ファイバ２４からコリメータ２３を通して集光され出射される赤外レーザ光が先ず下方の反射板２７により上方に向けて反射され、次いで上方の反射板２６により下方に向けて反射され、２枚の反射板２６，２７により交互に反射されることで、受光側のディテクタ２５に到達するように構成されている。このようにして、レーザ光の排ガス中の透過距離が長くなるように設定されている。
【００２４】
反射板２６，２７は排ガスにより劣化しないもので形成されることが好ましく、ベースとなる板材に金やプラチナ等の薄膜が形成され、その上に保護層として、ＭｇＦ２やＳｉＯ２の薄膜が形成されているものが好ましい。また、反射板は、赤外レーザ光を効率良く反射できるように反射率が高いことが望ましい。反射板はエンジンの起動中は排ガスに晒され、汚れが付着するため、必要に応じてフランジ部Ｆ，Ｆからセンサベース２１を取外して清掃することが好ましい。反射面を覆う保護層を拭くことにより、付着した汚れを容易に清掃することができ、反射率を向上させることができる。
【００２５】
センサベース２１はフランジ部Ｆ，Ｆに挟まれた状態で固定され、フランジ部Ｆ，Ｆとセンサベース２１との間にはガスケット２８，２８が挟まれた状態で図示していないボルト、ナット等により固定される。ガスケット２８は石綿等で形成され、排気管の内径と同じ直径の貫通孔が開けられている。この構成により、フランジ部Ｆ，Ｆの間にセンサベース２１を挟んで排気経路を接続しても、排ガスが途中で漏れることはなく、排気経路の長さの増加も少ない。図３では、排気管４の下流端に溶接されたフランジ部Ｆと、第１触媒装置５の上流側の排気パイプ部５ａの端部に溶接されたフランジ部Ｆとの間に、ガスケット２８，２８を挟んでセンサベース２１が固定される構成である。
【００２６】
センサ部１１にレーザ光を供給する光ファイバ２４と、センサ部１１で排ガス中を透過したレーザ光を受光して電気信号を出力するディテクタ２５はレーザ発振・受光コントローラ３０に接続される。すなわち、レーザ発振・受光コントローラ３０の後述するレーザダイオードから出射される赤外レーザ光が、光ファイバ２４を通してセンサベース２１のセンサ孔２１ａを通して貫通孔２２内に照射され、反射面２６，２７で反射された赤外レーザ光がセンサ孔２１ｂを通して受光側のディテクタ２５で受光され、ディテクタ２５から出力される電気信号がケーブル２９を介してレーザ発振・受光コントローラ３０に入力される構成となっている。
【００２７】
レーザ発振・受光コントローラ３０から出射された赤外レーザ光の信号光の発光強度と、排ガス中を透過しディテクタ２５で受光された測定光（透過レーザ光）の受光強度が信号解析部であるパーソナルコンピュータ４５に供給され、パーソナルコンピュータで排ガスの成分の濃度や温度を測定して分析する構成となっている。このように、排ガス分析装置１０は、複数のセンサ部１１〜１４と、レーザ発振・受光コントローラ３０と、パーソナルコンピュータ４５とを備えて構成される。そして、この排ガス分析装置１０は、エンジンから排出される排ガスをセンサ部の貫通孔２２に導入し、排ガスに光ファイバ２４を通してレーザ光を照射し、排ガス中を透過したレーザ光をディテクタ２５で受光し、受光されたレーザ光に基づいて排ガスの成分の濃度や温度を測定して分析する装置である。
【００２８】
ここで、レーザ発振・受光コントローラ３０について、図４を参照して説明する。レーザ発振・受光コントローラ３０は、複数の波長の赤外レーザ光を発生するレーザ光発生手段として、複数のレーザダイオードＬＤ１〜ＬＤ５にファンクションジェネレータ等の信号発生器３１から複数の周波数の信号を供給し、レーザダイオードＬＤ１〜ＬＤ５は各周波数に対応してそれぞれ複数の波長の赤外レーザ光を発生させる。レーザ発振・受光コントローラ３０の信号発生器３１から出力される複数の周波数の信号がレーザダイオードＬＤ１〜ＬＤ５に供給されてレーザ光を発生し、例えばＬＤ１は波長が１３００〜１３３０ｎｍ程度、ＬＤ２は１３３０〜１３６０ｎｍというように、検出しようとする成分ガスのピーク波長が存在する波長帯が連続するような波長帯の赤外レーザ光を発生させるように設定されている。
【００２９】
排ガス中を透過させる赤外レーザ光の波長は、検出する排ガス成分に合わせて設定され、一酸化炭素（ＣＯ）、二酸化炭素（ＣＯ２）、アンモニア（ＮＨ３）、メタン（ＣＨ４）、水（Ｈ２Ｏ）を検出する場合は、５つの波長の赤外レーザ光を使用する。例えば、アンモニアを検出するのに適した波長は１５３０ｎｍであり、一酸化炭素を検出するのに適した波長は１５６０ｎｍであり、二酸化炭素を検出するのに適した波長は１５７０ｎｍである。また、メタンを検出するのに適した波長は１６８０ｎｍであり、水を検出するのに適した波長は１３５０ｎｍである。このように、排ガス中を透過させる赤外レーザ光は、複数種類の単波長レーザ光を合波したレーザ光を使用することが好ましい。さらに、他の排ガスの成分の濃度を検出する場合は、排ガス成分の数に合わせて異なる波長の赤外レーザ光を使用する。排ガスの成分の濃度の測定は、同じ成分でも異なる波長を用いて測定することができるため、適当な波長を選択して測定すればよい。このように、レーザダイオードＬＤ１〜ＬＤ５は、複数種類の波長帯を有する単一のレーザ光発生手段（単一光源）を構成する。
【００３０】
各レーザダイオードＬＤ１〜ＬＤ５から発生されたレーザ光は光ファイバ３２…により分波器３３…を通して、信号光と測定光に分けられる。そして、５つの分波器３３…で分けられた測定用レーザ光は途中に光減衰器３４を設置した光ファイバ３５Ａを通して合波器３６で合波され、光ファイバ２４を通してセンサ部１１〜１４の照射部に導光され、コリメータ２３を通して貫通孔２２内に照射される。また、５つの分波器３３…で分けられた信号用レーザ光は光ファイバ３５Ｂを通して合波器３７で合波される。測定用および信号用のレーザ光は、排ガスの複数の成分ガスに合わせて複数の波長のレーザ光を合波した赤外レーザ光となっている。
【００３１】
本実施形態では、前記のように分波器３３で分波された測定用レーザ光は光減衰器３４を通して合波されるように構成されている。この光減衰器３４は測定用レーザ光の光強度を制御して排ガス中を透過させる測定用レーザ光の強度を調整する機能を有している。すなわち、排ガス中を透過した透過レーザ光の光強度と信号用レーザ光の光強度とに基づいてフィードバック補正量を算出し、この補正量を光減衰器３４に入力して測定用レーザ光の光強度を調整する。光減衰器３４は、レーザ光の光路中に透過率を変更できるフィルタを置き、透過光量を変更して光強度を調整するもの、また光路中にミラーを置き、ミラーの反射角度を変更して光強度を調整するもの等、適宜の形態のものを使用できる。なお、光減衰器は分波された信号用レーザ光を調整するように構成してもよく、信号用レーザ光と測定用レーザ光の両方を調整するように構成してもよい。
【００３２】
信号発生器３１から出力されレーザダイオードＬＤ１〜ＬＤ５に供給される駆動パルス５０は、図５，６に示されるような開始電流一定区間５１と、この開始電流一定区間に連続する電流走査区間５２と、さらにこの電流走査区間に連続する終了電流一定区間５３とを備えて形成される。より詳細には、本実施形態の駆動パルス５０は、電流値が経時変化する電流走査区間５２の始端側の電流値で電流を一定とした開始電流一定区間５１と、この開始電流一定区間に連続し、時間と共に電流値が直線的に増加する電流走査区間５２と、この電流走査区間に連続し、この電流走査区間の終端の電流値で電流を一定とした終了電流一定区間５３とを備えて構成される。一例として、１つのパルスの時間幅はおよそ３０〜１００μＳ程度に設定され、電流値は最大値で数１００〜４００ｍＡ程度に設定されている。
【００３３】
図５はレーザダイオードを２つ使用する場合の駆動パルスを示しており、例えば上段の駆動パルスはレーザダイオードＬＤ１に相当し、下段の駆動パルスはレーザダイオードＬＤ２に相当する。レーザダイオードが５つの場合は、図示していないが５つの駆動パルスが順次、時間的にずらされて形成される。図５の横軸は時間ｔを示し、縦軸は電流値Ａを示している。なお、図中の破線で示す三角波は、従来の駆動パルスである図１２に示す三角波Ｐを重ねて示している。
【００３４】
このような駆動パルス５０を用いてレーザダイオードを駆動すると、図６に示すように、Ｔ１〜Ｔ２の開始電流一定区間５１では電流値が一定のため波長は一定波長λ１で固定され、発振開始時に波形にノイズがのる可能性を少なくすることができる。そして、Ｔ２〜Ｔ３の電流走査区間５２では電流の変化に伴って波長が掃引され、吸収波長を含む波長域で排ガスの吸収強度がピーク波長λ２となって現れ、排ガスの成分の濃度を測定することができる。また、Ｔ３〜Ｔ４の終了電流一定区間５３では電流値が一定のため波長が一定波長λ３に固定される。このように、電流値が一定の開始電流一定区間５１と、終了電流一定区間５３では波長が固定され光強度が一定となるため、ピーク波長の光強度が安定する。この結果、レーザ光強度バランスに基づいて後述する差分型光検出器４０からフィードバック線４１を介して光減衰器３４をフィードバック制御して信号用レーザ光の光強度を安定した状態で調整することができる。そして、電流値が直線的に増加する電流走査区間５２では排ガスの成分ガスに相当するピーク波長の光強度から排ガスの成分の濃度や温度を正確に測定することができる。
【００３５】
なお、駆動パルスは図７ａの前記した駆動パルス５０の代わりに、図７ｂの駆動パルス６１のように、電流走査区間６１ｂの始端側の電流値で電流を一定とした開始電流一定区間６１ａと、開始電流一定区間から連続して電流値が経時変化する電流走査区間６１ｂとから構成してもよい。また、図７ｃの駆動パルス６２のように、電流走査区間６２ｂの始端側の電流値で電流を一定とした開始電流一定区間６２ａと、これに連続して電流値が直線的に減少する電流走査区間６２ｂと、これに連続して終端の電流値で電流を一定とした終了電流一定区間６２ｃとから構成してもよい。さらに、図７ｄの駆動パルス６３のように、電流走査区間６３ｂの始端側の電流値で電流を一定とした開始電流一定区間６３ａと、これに連続して電流値が直線的に減少する電流走査区間６３ｂとから構成することもできる。駆動パルスは、前記のように電流走査区間と、この電流走査区間に連続する開始電流一定区間と終了電流一定区間との少なくとも一方を備えていれば、どのような形状でもよい。
【００３６】
前記のいずれの駆動パルス５０，６１，６２，６３も、電流値が一定の開始電流一定区間を有しているためレーザ光の波長をガス成分による吸収の無い一定波長で固定して発振開始時にノイズののる可能性を除去でき、レーザ光の光強度バランスの調整を精度良くフィードバック制御することができる。また、電流値が経時変化する電流走査区間で波長掃引させることができ、排ガスの成分ガスによる吸収に合わせたピーク波長の光強度を用いて排ガスの成分の濃度等を検出することができる。特に、電流値が一定の開始電流一定区間と終了電流一定区間が電流走査区間の両側にある場合は、光強度バランスをより安定させることができ、排ガスの成分の濃度等の測定精度を向上させることができる。
【００３７】
図４において、センサ部１１の受光部に固定されたディテクタ２５から出力される電気信号は、ケーブル２９を介して差分型光検出器４０に供給される。また、信号光用合波器３７から光ファイバ３８で供給された信号用レーザ光は差分型光検出器４０に入力され、フォトダイオード等の光電変換器により電気信号に変換される。差分型光検出器４０は、排ガス中を透過した測定用レーザ光の電気信号と、排ガス中を透過しない信号用レーザ光の電気信号とに基づいて、測定光の光強度を一定にするべくフィードバック補正量を算出し、フィードバック線４１を通して測定光用合波器３６の前段に配置された光減衰器３４に入力する。
【００３８】
フィードバック補正量は成分ガスごとに算出され、成分ガスのピーク波長を発生させるレーザダイオードの測定光ごとに光減衰器３４に供給され、測定光の光強度を調整制御する。また、差分型光検出器４０は複数のセンサ部から出力された電気信号を、排ガスの成分の濃度や温度を算出する信号解析部としてのパーソナルコンピュータ４５に入力する。なお、信号光は差分型光検出器に直接入力させず、フォトダイオード等を介して電気信号に変換してから入力してもよい。
【００３９】
光減衰器３４では、供給されたフィードバック補正量に基づきレーザダイオードから発生されたレーザ光を減衰させて、信号光と測定光との光強度が一定となるように、レーザダイオードＬＤ１〜ＬＤ５を制御する。差分型光検出器４０で算出された信号光と測定光の差分に相当する電気信号は、例えば図示していないプリアンプで増幅され、Ａ／Ｄ変換器を介して信号解析部であるパーソナルコンピュータ４５に入力され、パーソナルコンピュータでは差分型光検出器からのデータを濃度値へ変換して排ガスの成分の濃度の算出や、排ガスの温度を算出する。
【００４０】
なお、センサ部１１〜１４の受光部としてセンサベース２１に固定されたディテクタ２５の代わりに、受光用の光ファイバをセンサベース２１に固定し、受光されたレーザ光を分波器でガス成分ごとに分波して、フォトダイオード等でガス成分ごとの出力電圧を検出し、測定光と信号光とからパーソナルコンピュータ４５で排ガスの成分の濃度を算出するように構成してもよい。
【００４１】
本発明の排ガス分析装置１０は、例えば赤外レーザ光を排ガス中に透過させ、入射光の強度と排ガス中を透過したあとの透過光の強度に基づいて排ガスの成分の濃度を算出し、排ガスを分析するものである。すなわち、排ガスの成分の濃度Ｃは、以下の数式（１）から算出される。
【００４２】
Ｃ＝−ｌｎ（Ｉ／Ｉ０）／ｋＬ…（１）
【００４３】
この数式（１）において、Ｉは透過光強度、Ｉ０は入射光強度、ｋは吸収率、Ｌは透過距離である。したがって、信号光である入射光強度（Ｉ０）に対する透過光強度（Ｉ）の比、シグナル強度（Ｉ／Ｉ０）に基づいて排ガスの成分の濃度Ｃは算出される。透過光強度Ｉは、光ファイバ２４を通して排ガス中を透過してディテクタ２５から出力され、入射光強度Ｉ０は、合波器３７から光ファイバ３８を通して差分型光検出器４０に入力され、図示していないフォトダイオード等から出力される。本実施形態では入射光強度Ｉ０として排ガス中を透過しない信号光強度を用いている。
【００４４】
前記の如く構成された本実施形態の排ガス分析装置１０の動作について以下に説明する。排ガスの成分の濃度等を測定して排ガスを分析するときは、レーザ発振・受光コントローラ３０の信号発生器３１を作動させて各レーザダイオードＬＤ１〜ＬＤ５に図５に示すような駆動パルス５０を印加して各レーザダイオードＬＤ１〜ＬＤ５から所定の波長の赤外レーザ光を発生させる。各レーザダイオードＬＤ１〜ＬＤ５から発生された赤外レーザ光は、光ファイバ３２…を通して分波器３３…に至り、ここで測定光と信号光に分波される。各分波器で分波された測定光は光減衰器３４、光ファイバ３５Ａを通して合波器３６で合波されて測定用レーザ光となり、センサ部１１〜１４の照射部に光ファイバ２４を通して導光される。また、各分波器３３…で分波された信号光は光ファイバ３５Ｂを通して合波器３７で合波されて信号用レーザ光となり、差分型光検出器４０で入射光強度Ｉ０として計測される。
【００４５】
信号発生器３１から出力される駆動パルス５０は図５に示されるような開始電流一定区間５１と、電流値が直線的に増加する電流走査区間５２と、さらに終了電流一定区間５３とを有しており、前後の電流一定区間では発光するレーザ光の波長が変わらず、中間の電流走査区間でのみ波長が変化するため、ノイズの少ない安定したレーザ光を発生させることができる。すなわち、図６に示すように、開始電流一定区間５１では吸収の無い一定波長λ１で固定し、中間の電流走査区間で電流値を経時変化させることで波長を掃引し、吸収波長を含む波長域でレーザ光の吸収強度を計測することによりピーク波長を安定させることができ、ノイズ成分を低減してＳ／Ｎ比を向上させることができる。また、終了電流一定区間５３では一定波長λ３で波長を固定する。
【００４６】
そして、センサ部１１〜１４に光ファイバ２４から照射された測定用レーザ光は、排ガスが通過している貫通孔２２内に照射される。測定用レーザ光は反射面２６，２７で反射されることを繰り返して受光部のディテクタ２５に到達する。排ガス中を通り減衰した測定用レーザ光は受光部であるディテクタ２５で透過光強度Ｉとして受光され、電気信号に変換されて差分型光検出器４０に入力される。測定用レーザ光は反射を繰り返されることにより排ガス中を透過する距離が大きくなり、前記数式（１）の透過距離Ｌが長くなることで減衰量が大きくなるため、精度の良い瞬時の排ガスの成分の濃度測定が可能となる。このように信号用レーザ光の光強度Ｉ０と、測定用レーザ光の透過光強度Ｉとの比（Ｉ／Ｉ０）であるシグナル強度を算出し、このシグナル強度比に基づいて排ガスの成分の濃度を算出する。ディテクタ２５で受光される光強度は、光ファイバ２４から照射される光強度に対して３０％以上となることが好ましい。３０％を下回るとノイズとの判別が難しくなるからである。
【００４７】
差分型光検出器４０では、排ガス中を透過して減衰した測定用レーザ光からフィードバック補正量を算出して、各波長に対応するレーザダイオードＬＤ１〜ＬＤ５の光強度を調整するべく光減衰器３４をフィードバック制御する。光減衰器３４はレーザダイオードごとに光強度を調整し、測定用レーザ光の校正を行う。例えば、外乱により測定光強度が低下した場合、自動的に検出して減衰率を下げることで光強度を上げ、初期状態と同等なバランスを保つことができる。なお。信号光はレーザ光の発生から受光までに外乱要素がなく、レーザ出力が変化しない限り信号用レーザ光強度は変化しないので、測定用レーザ光強度を光減衰器で調整し、バランスをとることが好ましい。
【００４８】
また、差分型光検出器４０では信号用レーザ光と測定用レーザ光との差を取り、信号解析を行うべくパーソナルコンピュータ４５に信号を供給する。パーソナルコンピュータ４５では、信号用レーザ光の光強度と、排ガス中を透過して減衰した測定用レーザ光のピーク波長の光強度との比（Ｉ／Ｉ０）を算出し、センサ部が設置された排気経路中の位置における排ガスの成分の濃度を算出する。また、複数箇所に設置されたセンサ部１１〜１４により排気経路中の複数箇所の排ガスの成分の濃度の相対変化も分析できる。
【００４９】
本実施形態では、排気経路中に複数のセンサ部１１〜１４が設置されており、各センサ部の位置における排ガスの成分の濃度と温度が測定される。このため、エキゾーストマニホルド３の下流部分での排ガスの成分の濃度と温度や、第１触媒装置５の上流側および下流側での排ガスの成分の濃度や温度を測定できる。例えば、触媒装置５，６を通過したあとの温度と排ガスの成分の濃度と、触媒装置５，６で処理される前の温度と排ガスの成分の濃度により、触媒装置５，６の性能を評価できると共に、触媒装置の例えば経年変化による劣化等も検出することができる。
【００５０】
排ガスの成分の濃度や温度を測定するときに使用するディテクタ２５の出力は、振動等の外乱によるノイズの影響を受けやすい。ノイズが出力パターンに重畳されると、正確な測定は不可能となる。図８は、排ガス分析装置のディテクタ２５の出力パターン図を示しており、図８ａは、本実施形態のディテクタから出力されたノイズが少ない安定した出力を示している。これに対して、図８ｂでは光学ノイズ等が重畳して信号が不安定な状態となっている。本実施形態の排ガス分析装置のディテクタ２５の出力は、レーザ光発生手段を駆動する駆動パルスに、電流値が一定の区間を有する構成としているため、図８ａに示すように安定した出力パターンを得ることができ、排気経路内の環境の変化に対応して正確な排ガスの成分の濃度測定や温度測定を可能とする。なお、図８の横軸は時間ｔを示し、縦軸は出力電圧Ｖを示している。
【００５１】
つぎに、本実施形態の排ガス分析装置を用いて温度の測定を行なう動作を説明する。気体は、それぞれ固有の吸収波長帯を持っており、その吸収波長帯には、例えば図９に示すように、多くの吸収線が存在している。図９ａは低温のときのシグナル強度（＝分子数割合）を示しており、図９ｂは高温のときのシグナル強度を示している。このように、シグナル強度は温度に依存して変化するため、シグナル強度比を計測することにより、測定時の排ガスの温度を算出することができる。なお、図９の横軸は波長λを示し、縦軸はシグナル強度を示している。このようにして算出した排ガスの温度も、排ガスに照射される赤外レーザ光が安定しているため、精度の良い測定が可能となる。
【００５２】
つぎに、本発明の他の実施形態を図１０に基づき詳細に説明する。図１０は本発明に係る排ガス分析装置の他の実施形態のレーザ発振・受光コントローラ３０Ａの要部構成および信号解析部を含む全体構成を示すブロック図である。なお、この実施形態は前記した実施形態に対し、レーザ光発生手段から発生された信号用レーザ光を光検出器で検出し、この検出結果からレーザ光発生手段を校正することを特徴とする。そして、他の実質的に同等の構成については同じ符号を付して詳細な説明は省略する。
【００５３】
この実施形態のレーザ発振・受光コントローラ３０Ａは、レーザ光発生手段を校正する構成装置７０を備えている。校正装置７０は、信号用レーザ光の合波器３７から出力され差分型光検出器４０に入力する光ファイバ３８にビームスプリッタ等の分波器７１を介して設置され、分波された信号用レーザ光の一部が供給される。校正装置７０は信号用レーザ光の一部を２つに分波する分波器７２と、分波器で分けられた一方のレーザ光が入力される検出器７３と、他方のレーザ光がフィルタ７４を通して入力される検出器７５と、２つの検出器の結果に基づいてレーザ光発生手段の波長を制御する波長制御装置７６とを備えており、この波長制御装置７６からの出力を信号線７７でレーザダイオードＬＤ１〜ＬＤ５に各々供給して出力を制御する装置である。
【００５４】
校正装置７０で用いられるフィルタ７４は波長依存性を有するフィルタが使用される。このフィルタ７４は波長に対して光透過率がリニアに変更する特徴を有するものであり、例えば図１１ａに示すように、波長が長くなると共に透過率がリニアに減少するものが用いられる。一方の検出器７３から出力されるレーザ光の波長と、フィルタ７４を通して他方の検出器７５から出力されるレーザ光の波長との比を常時モニタし、レーザダイオードＬＤ１〜ＬＤ５をフィードバック制御する。なお、波長依存性を有するフィルタは、波長が長くなると透過率が増加するものを用いてもよい。
【００５５】
すなわち、図１１ｂのように、検出器７３から出力される一方のレーザ光は所定の波長帯で一定の光強度Ｉ１に設定され、他方の検出器７５から出力される他方のレーザ光は波長依存性のあるフィルタ７４により所定の波長帯で光強度Ｉ２がリニアに変化する。光強度が一定の一方のレーザ光と光強度がリニアに変化する他方のレーザ光とは、モニタ上で交差するので、この交点が所定の波長λ５からλ６にずれた場合に、例えば駆動パルスの電流を増減することで所定の波長に合わせることができる。
【００５６】
このようにして校正装置７０はレーザダイオードの光出力（発光量）を容易に校正できるため、排ガス分析装置１０は排ガスの成分の濃度や温度を精度良く測定することができる。例えば、レーザダイオードを駆動する駆動パルスの電流を変化させ、レーザダイオードの出力を調整する。この校正装置７０を使用すると、レーザダイオード等のレーザ光発生手段の検定器を用いた校正メンテナンスが不要となり、排ガス分析にかかる手間や費用を低減することができる。
【００５７】
以上述べたように、本実施形態の排ガス分析装置１０は、レーザ光発生手段に印加する駆動パルス５０を電流走査区間と、これに連続する開始電流一定区間および終了電流一定区間の少なくとも一方とを備えるパターンとすることで、レーザ光のオーバーシュートを防止でき、電流一定区間で波長を固定することによって測定光と信号光との光バランスを検出し、フィードバック制御により光減衰器で測定用レーザ光を調整するため、精度の良い排ガス分析が可能となる。また、排気経路中の複数箇所で排ガスの成分の濃度や温度を測定し、排気経路中の途中の排ガスの成分の濃度の分析を行なうことができるため、触媒装置等の評価を行なうこともできる。
【００５８】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、排ガスの成分ガスとして、窒素酸化物（ＮＯｘ）の測定を行うこともできる。この場合は、排ガス中を透過させる赤外レーザ光として、ＮＯｘに適した波長（例えば１８００ｎｍ）を用いることは勿論である。また、照射部から照射されるレーザ光は赤外レーザ光に限られず、可視レーザ光や紫外レーザ光でもよい。
【００５９】
センサ部のセンサベースに光ファイバを介してレーザ光の照射部を取り付け、センサベースにフォトダイオードを固定して受光部とする例を示したが、センサベースに直接レーザダイオード等の照射部を装着してレーザ光の照射部としてもよい。また、センサベースに直接受光部であるディテクタを固定せず、光ファイバを固定してディテクタまで導光するように構成してもよい。光減衰器は測定用レーザ光側でなく、信号用レーザ光側に設置してもよい。
【００６０】
また、反射面として、金やプラチナの薄膜を形成する例を示したが、酸化チタン等の薄膜を形成してもよく、耐熱性に優れ、鏡面加工できるものであれば材質は特定されない。反射面はミラー等の反射板を使用せず、排ガスが流れる貫通孔の内面に直接形成してもよい。この場合は、貫通穴の内周面を研磨してから、めっきや蒸着等の手法により反射面を形成すればよい。反射面はミラー等を使用せず、貫通孔の内周面を研磨して金やプラチナの薄膜を形成してもよく、その上に保護層として、ＭｇＦ２やＳｉＯ２の薄膜を形成してもよい。これにより反射面の構成を簡略化することができる。
【００６１】
前記の実施形態ではセンサ部をエキゾーストマニホルドの下流側に設置した構成を示したが、エキゾーストマニホルドとエンジンのシリンダブロックとの間に設置してもよい。このように構成すると、エンジンの気筒ごとの排ガスの成分の濃度や温度を測定することができ、例えばエンジンの不調等の原因を気筒ごとに判断することができる。特に、本発明の排ガス分析装置は、基準ガス等を使用せずに、レーザ光の透過を用いて排ガスの成分の濃度を検出するため、高温でも測定できる特徴があり、エンジンから排出した直後の８００℃程度の高温の排ガスの成分の濃度の測定も精度良く行なうことができる。
【産業上の利用可能性】
【００６２】
本発明の活用例として、この排ガス分析装置を用いてボイラー等の燃焼装置の排ガス分析を行うことができ、自動車の排ガス分析の他に船舶等で使用する内燃機関の排ガス分析の用途にも適用できる。
【図面の簡単な説明】
【００６３】
【図１】本発明に係る排ガス分析装置を車両に搭載した一実施形態の要部構成図。
【図２】本発明に係る排ガス分析装置をエンジンベンチに搭載した実施形態の要部構成図。
【図３】センサ部の要部構成を示す分解斜視図。
【図４】レーザ発振・受光コントローラの要部構成および信号解析部を含む排ガス分析装置の全体構成を示すブロック図。
【図５】本発明の排ガス分析装置で用いられるレーザ光発生手段を駆動する駆動パルスの電流パターン図。
【図６】図５の駆動パルスの動作説明図。
【図７】駆動パルスの他の実施形態のパターン図。
【図８】レーザ光を受光したディテクタの出力を示し、（ａ）はノイズの少ない出力パターン図、（ｂ）はノイズの多い出力パターン図。
【図９】吸収スペクトルの温度の影響を示し、（ａ）は低温のときのシグナル強度の説明図、（ｂ）は高温のときのシグナル強度の説明図。
【図１０】本発明に係る排ガス分析装置の他の実施形態のレーザ発振・受光コントローラの要部構成および信号解析部を含む全体構成を示すブロック図。
【図１１】（ａ）は図１０の実施形態で使用する校正装置のフィルタの特性を示す図、（ｂ）は校正動作の説明図。
【図１２】従来の排ガス分析装置で用いられるレーザ光発生手段を駆動する駆動パルスの電流パターン図。
【符号の説明】
【００６４】
１：自動車、１Ａ：エンジンベンチ、２：エンジン、３：エキゾーストマニホルド（排気経路）、４：排気管（排気経路）、５：第１触媒装置（排気経路）、６：第２触媒装置（排気経路）、７：マフラー（排気経路）、８：排気パイプ（排気経路）、１０：排ガス分析装置、１１〜１４：センサ部、２４：光ファイバ（照射部）、２５：ディテクタ（受光部）、３０，３０Ａ：レーザ発振・受光コントローラ、３１：信号発生器、３３：分波器、３４：光減衰器、３６，３７：合波器、４０：差分型光検出器、４１：フィードバック線、４５：パーソナルコンピュータ（信号解析部）、５０：駆動パルス、５１：開始電流一定区間、５２：電流走査区間、５３：終了電流一定区間、６１，６２，６３：駆動パルス、６１ａ，６２ａ，６３ａ：開始電流一定区間、６１ｂ，６２ｂ，６３ｂ：電流走査区間、６２ｃ：終了電流一定区間、ＬＤ１〜ＬＤ５：レーザダイオード（レーザ光発生手段）
【図１】
2006337326.tif 000003
【図２】
2006337326.tif 000004
【図３】
2006337326.tif 000005
【図４】
2006337326.tif 000006
【図５】
2006337326.tif 000007
【図６】
2006337326.tif 000008
【図７】
2006337326.tif 000009
【図８】
2006337326.tif 000010
【図９】
2006337326.tif 000011
【図１０】
2006337326.tif 000012
【図１１】
2006337326.tif 000013
【図１２】
2006337326.tif 000014